(57)【要約】【課題】筆記具におけるクリップが容易に外れずに好適なクリップ機能を実現する筆記具用クリップ構造を提供する。【解決手段】筆記具用のクリップ構造Ｓ１は、軸筒１０側に設けられる突出部１２と、突出部１２に嵌合する開口３２を有するクリップ３０と、を備えている。クリップ構造Ｓ１では、クリップ３０は、突出部１２が挿入される開口３２の裏面側と逆側である開口３２の表面側の縁に切欠き３３を有し、クリップ３０が持ち上がる際にクリップ３０の開口３２の内側面３２ａの一部と突出部１２の外側面１２ａの一部とにより画定される当該クリップの回動支点Ｐ１が、切欠き３３により、突出部１２の天面１２ｂの高さよりも低い位置に形成される。【選択図】図４
2019010859.tif 000002
【特許請求の範囲】
【請求項１】
筆記具本体側に設けられる突出部と、前記突出部に嵌合する開口を有するクリップとを備えた筆記具用クリップ構造であって、
前記クリップは、前記突出部が挿入される前記開口の裏面側と逆側である前記開口の表面側の内側面の縁に切欠きを有し、
前記クリップが持ち上がる際に、前記クリップの前記開口の内側面の一部と前記突出部の外側面の一部とにより画定される当該クリップの回動支点が、当該切欠きにより、前記突出部の天面高さよりも低い位置に形成される、筆記具用クリップ構造。
【請求項２】
前記切欠きが段差部又は傾斜部である、請求項１に記載の筆記具用クリップ構造。
【請求項３】
前記切欠きは、前記開口の内側面の縁のうち前記クリップの長手方向における一端側に設けられる、請求項１又は２に記載の筆記具用クリップ構造。
【請求項４】
前記切欠きは、前記開口の内側面の縁のうち前記クリップの長手方向における両端に設けられる、請求項１〜３の何れか一項に記載の筆記具用クリップ構造。
【請求項５】
前記切欠きの前記突出部の天面からの深さが前記突出部の高さに対して１０％以上である、請求項１〜４の何れか一項に記載の筆記具用クリップ構造。
【請求項６】
前記突出部は、前記回動支点よりも前記突出部の天面側に設けられる規制部を有し、
前記規制部は、前記筆記具本体から離れる方向において前記突出部に対する前記クリップの相対移動を規制する、請求項１〜５の何れか一項に記載の筆記具用クリップ構造。
【請求項７】
前記規制部は、前記突出部の外側面から前記切欠きに向かって突出する凸部である、請求項６に記載の筆記具用クリップ構造。
【請求項８】
請求項１〜７の何れか一項に記載の筆記具用クリップ構造を備えた筆記具。
【発明の詳細な説明】
【技術分野】
【０００１】
本発明は、筆記具用クリップ構造、及び当該クリップ構造を備える筆記具に関する。
【背景技術】
【０００２】
特許文献１には、キャップ本体とクリップとを別体で構成した筆記具用キャップが開示されている。この筆記具用キャップでは、キャップ本体の外周に設けられた突出部に対してクリップの孔が嵌合し、クリップ機能付きの筆記具用キャップを構成している。
【先行技術文献】
【特許文献】
【０００３】
【特許文献１】特開２０００−３１８３７４号公報
【発明の概要】
【発明が解決しようとする課題】
【０００４】
特許文献１に記載のクリップ構造では、キャップ本体の突出部にクリップの孔が嵌合しており、クリップが動かされない状態ではクリップがキャップ本体から外れてしまうことはない。しかしながら、例えばクリップの先端を持ち上げて、クリップにより紙等をその間に挟み込もうとすると、キャップ本体（突出部）からクリップが外れてしまうことがある。また、クリップの後端に何かが接触してしまった場合も同様にキャップ本体（突出部）からクリップが外れてしまう場合がある。
【０００５】
本発明は、上述した課題を解決するために為されたものであり、クリップが容易に外れない筆記具用クリップ構造、及び、当該クリップ構造を備える筆記具を提供することを目的とする。
【課題を解決するための手段】
【０００６】
上記課題を解決するため、本発明者が鋭意検討したところ、特許文献１に記載のクリップ構造では、クリップを持ち上げる際のクリップの回動支点が突出部の天面と略同じ高さに位置していることがわかった。このため、このクリップの持ち上げ動作等による回動があると、図４（ｂ）に示すように、回動支点Ｐ２を形成するクリップ開口の内側面の縁部が突出部から外側（図示上方）に滑ってしまい、これにより、クリップが突出部から容易に外れてしまう場合があることが分かってきた。そこで、本発明者は更に検討を重ね、このような滑りをある程度許容できる簡易な構成を設ければクリップが容易に突出部から外れてしまうことを防止出来るとの知見を得て、本発明を完成するに到った。
【０００７】
即ち、本発明に係る筆記具用クリップ構造は、筆記具本体側に設けられる突出部と、突出部に嵌合する開口を有するクリップとを備えており、このクリップは、突出部が挿入される開口の裏面側と逆側である開口の表面側の内側面の縁に切欠きを有し、クリップが持ち上がる際にクリップの開口の内側面の一部と突出部の外側面の一部とにより画定される当該クリップの回動支点が、当該切欠きにより、突出部の天面高さよりも低い位置に形成されるようになっている。
【０００８】
この筆記具用クリップ構造では、突出部と嵌合するクリップの開口の表面側の内側面の縁に切欠きを設け、この切欠きにより、クリップが持ち上がる際に当該クリップの開口の内側面の一部と突出部の外側面の一部とにより画定される当該クリップの回動支点が、突出部の天面高さよりも低い位置に形成されるようになっている。このため、このクリップ構造によれば、クリップが突出部から外側にある程度滑ってしまったとしても、クリップが突出部から外れてしまうことを防止することができる。また、このような滑りに対する許容性があることから、このクリップ構造によれば、より好適な（より回動範囲の広い）クリップ機能を奏することが可能となる。なお、ここでいう「筆記具本体」としては、筆記具を構成する軸筒や筆記具の先端を覆うキャップ等を例示することができるが、これらに限定されるものではなく、クリップが取付け可能な筆記具の各種の部分を含むことができる。
【０００９】
上記の筆記具用クリップ構造において、切欠きは段差部又は傾斜部であることが好ましい。この場合、クリップが突出部から外れてしまうことを防止するための構造を簡易に実現できる。
【００１０】
上記の筆記具用クリップ構造において、切欠きは、開口の内側面の縁のうちクリップの長手方向における一端側に設けられていることが好ましい。この場合、筆記具の長手方向に沿った回動動作による一般的なクリップ機能を容易に実現することができる。また、切欠きは、開口の内側面の縁のうちクリップの長手方向における両端に設けられていてもよい。
【００１１】
上記の筆記具用クリップ構造において、切欠きの突出部の天面からの深さが突出部の高さに対して１０％以上であることが好ましい。切欠きの当該深さが突出部の高さの１０％以上であることにより、クリップが突出部に対して滑っても簡単には外れないようにすることができる。なお、切欠きの当該深さが突出部の高さの４０％以下となるようにしてもよい。この場合、クリップの開口を画定する部分の肉厚が切欠きのために薄くなってしまい、クリップの強度が低下してしまったり、連続して使用した際の耐久性が低下してしまったりすることを防止することできる。
【００１２】
上記の筆記具用クリップ構造において、突出部は、回動支点よりも当該突出部の天面側に設けられる規制部を有し、規制部は、筆記具本体から離れる方向において突出部に対するクリップの相対移動を規制するようにしてもよい。この場合、クリップ回動による外れを防止する機能に加え、クリップを筆記具本体から垂直方向又は斜め方向（離れる方向）に持ち上げる動作によるクリップ外れも防止でき、クリップが突出部から外れてしまうことをより確実に防止することができる。
【００１３】
上記の筆記具用クリップ構造において、規制部は、突出部の外側面から前記切欠きに向かって突出する凸部であってもよい。この場合、筆記具本体から垂直方向又は斜め方向に持ち上げる動作によるクリップ外れの防止を簡易な構造で実現できる。なお、この場合において、突出部の外側面に対する凸部の突出量は０．１ｍｍより大きく０．４ｍｍ以下であってもよい。凸部の突出量がこの範囲にあることにより、クリップが突出部から外れてしまうことを防止しつつ、筆記具の組立工程においてクリップを突出部に簡単に取り付けることができる。
【００１４】
また、本発明は別の側面として、上記何れかの構成を有する筆記具用クリップ構造を備えた筆記具として捉えることもできる。このような筆記具によれば、上記同様、より好適なクリップ機能を備えた筆記具を実現することができる。
【発明の効果】
【００１５】
本発明によれば、筆記具におけるクリップが容易に外れない筆記具用クリップ構造、及び、当該クリップ構造を備える筆記具を提供することができる。
【図面の簡単な説明】
【００１６】
【図１】図１は、本発明の実施形態に係る筆記具の一例を示す斜視図である。
【図２】図２は、図１に示す筆記具からクリップを取り外した状態を示す一部分解斜視図である。
【図３】図３は、図１に示す筆記具のクリップの断面を示す断面図である。
【図４】図４（ａ）は、本実施形態に係るクリップ構造の作用効果を示す模式的な断面図であり、図４（ｂ）は、従来のクリップ構造における動作を示す模式的な断面図である。
【図５】図５（ａ）は、変形例に係るクリップ構造を示す断面図であり、図５（ｂ）は、別の変形例に係るクリップ構造を示す断面図である。
【図６】図６は、変形例に係る筆記具を示す斜視図である。
【図７】図７は、図６に示す筆記具からクリップを取り外した状態を示す一部分解斜視図である。
【図８】図８は、図７に示す突出部を示す拡大図である。
【図９】図９は、図６に示す筆記具のクリップ構造の断面を示す断面図である。
【発明を実施するための形態】
【００１７】
以下、図面を参照しつつ、本発明に係る筆記具用クリップ構造及び当該クリップ構造を備えた筆記具について説明する。説明において、同一要素又は同一機能を有する要素には、同一符号を用いる場合があり、重複する説明は省略する。
【００１８】
最初に、本発明に係るクリップ構造を備えた筆記具の例について説明する。本発明が適用可能な筆記具としては、シャープペンシル、ボールペン、マーキングペン、サインペンなどの各種の筆記具を例示することが可能であるが、これらに限定されるものではない。以下では、出没式のマーキングペンを例にとって説明するが、その他の各種の筆記具においても同様に適用することが可能である。
【００１９】
図１は、本発明の実施形態に係る筆記具の一例を示す斜視図である。図１に示すように、筆記具１は、出没式のマーキングペンであり、軸筒１０と、軸筒１０内に進退可能に設けられるとともに先端側に筆記部を有し後端側（図示右上側）にノック部２２を有する中芯ユニット２０と、軸筒１０の後端側に設けられた突出部１２に取り付けられるクリップ３０と、を備えている。中芯ユニット２０の筆記部は、インクなどを含有している部分であり、ノック部２２を図示の右上側から左下側に押し込むことにより、軸筒１０の先端開口１４から出没して、マーキング等が行われるように構成されている。なお、このようなマーキングペンの構成自体については、例えば特開２０１６−０５５５７６号公報等に記載されているように当業者に明らかであるので、ここではその詳細な説明は省略する。
【００２０】
図２は、図１に示す筆記具からクリップを取り外した状態を示す一部分解斜視図である。図２に示すように、筆記具１のクリップ３０は、開口３２を有しており、この開口３２に軸筒１０の突出部１２が嵌合することにより、軸筒１０に取り付けられている。クリップ３０は、例えばプラスチック樹脂等から成型などにより形成されており、突出部１２の外側面１２ａと開口３２を構成する部分（内側面３２ａ、図３参照）との接触領域を中心として軸筒１０から離れる方向に（上方に）回動可能になっており、クリップ３０の一端（先端側）３７を持ち上げてその間に紙等を挟み込む機能を奏することが可能となっている。
【００２１】
図３は、図１に示す筆記具のクリップの断面を示す断面図である。図３に示すように、クリップ３０は、より詳細には、略板状のクリップ本体３１と、クリップ本体３１の後端側に設けられる略矩形状の開口３２と、開口３２の表面３０ａ側の内側面３２ａの縁に設けられる段差部３３（切欠き）と、開口３２よりもやや前方の裏面３０ｂ側に設けられる窪み３４と、クリップ本体３１の前方の裏面３０ｂ側に設けられた突起３５と、を備えて構成されている。クリップ３０の開口３２の長手方向の一端の縁には、上述したように、段差部３３が設けられており、開口３２に突出部１２が嵌合した場合であっても、段差部３３によって、開口３２の表面３０ａ側の内側面３２ａには突出部１２の外側面１２ａに接触しない領域Ｒが形成される。突出部１２は、例えば開口３２の裏面３０ｂ側から挿入されて、嵌合される。なお、窪み３４により、クリップ３０がより撓みやすくなっており、また、突起３５により、クリップ３０で挟み込まれるものをより確実に保持できるようになっている。
【００２２】
ここで、図４を参照して、このような段差部３３による作用効果について、従来の構成と比較しつつ説明する。図４（ａ）は、本実施形態に係るクリップ構造の作用効果を示す模式的な断面図であり、図４（ｂ）は、従来のクリップ構造における動作を示す模式的な断面図である。図４（ｂ）に示すように、従来のクリップ１３０の開口１３２（内側面１３２ａ）の表面１３０ａ側の縁には段差部等の切欠きがなく、クリップ１３０を持ち上げ（回動し）ようとすると、その回動支点Ｐ２が突出部１１２の外側面１１２ａのうち天面１１２ｂと略面一な位置に形成されることになる。このため、従来のクリップ構造Ｓ２では、クリップ１３０の持ち上げ動作による回動がある角度を超えると、回動支点Ｐ２を形成するクリップ１３０の開口１３２の縁部が突出部１１２（回動支点Ｐ２に相当する領域）から外側に滑ってずれてしまい、これにより、クリップ１３０が突出部１１２から容易に外れてしまうことが起こりえる。
【００２３】
これに対し、図４（ａ）に示すように、本実施形態に係るクリップ構造Ｓ１によれば、突出部１２と嵌合するクリップ３０の開口３２の表面３０ａ側の内側面３２ａの縁に段差部３３を設け、この段差部３３により、クリップ３０による挟み込み動作により当該クリップ３０を持ち上げる際の回動支点Ｐ１が突出部１２の天面１２ｂよりも低い（内側）位置に形成される。このため、このクリップ構造Ｓ１によれば、クリップ３０を持ち上げ（回動し）ようとしてクリップ３０が突出部１２に対してある程度滑ってしまっても、クリップ３０が突出部１２から外れてしまうことを防止することができる。そして、このような滑りに対する許容性があることから、クリップ構造Ｓ１を有する筆記具１によれば、より好適な（より回動範囲の広い）クリップ機能を奏することが可能となる。
【００２４】
なお、クリップ構造Ｓ１を備えた筆記具１では、段差部３３の突出部１２の天面１２ｂからの深さＤが、これに限定されないが、突出部１２の高さＴに対して１０％以上４０％以下であることが好ましく（図３参照）、例えば、突出部１２の高さＴが５ｍｍの場合に、段差部３３の深さＤを１ｍｍとすることができる。このように段差部３３の深さＤが突出部１２の高さＴの１０％以上であることにより、クリップ３０が突出部１２に対して滑っても簡単には外れないようにすることができる。一方、段差部３３の深さＤを突出部１２の高さＴの４０％以下とすることにより、クリップ３０の開口３２を画定する部分３６の肉厚が段差部３３のために薄くなってしまい、クリップ３０の強度が低下してしまったり、連続して使用した際の耐久性が低下してしまったりすることを防止することできる。
【００２５】
また、クリップ構造Ｓ１を備えた筆記具１では、クリップ３０の開口３２の表面３０ａ側に設けた切欠きの例として段差部３３について説明したが、クリップ３０の開口３２と突出部１２との表面３０ａ側の接触点（即ち回動支点）を突出部１２の天面１２ｂよりも内側に移動できる構成であれば、傾斜部であってもよい。このような段差部や傾斜部を採用することにより、クリップ３０が突出部１２から外れてしまうことを防止するための構造を簡易に実現することができる。
【００２６】
また、クリップ構造Ｓ１を備えた筆記具１では、段差部３３は、開口３２の縁のうちクリップ３０の長手方向における先端側にのみ設けられている。この場合、筆記具１の長手方向に沿った回動動作による一般的なクリップ機能を容易に実現できる。
【００２７】
以上、本発明の実施形態について詳細に説明してきたが、本発明は上記実施形態に限定されるものではなく様々な実施形態に適用することができる。例えば、上記実施形態では、突出部１２の天面１２ｂとクリップ３０の表面３０ａとが略一致していたが、図５（ａ）に示すように、突出部１６の天面１６ｂがクリップ３０の表面３０ａよりも内側に凹む構成であってもよい。このクリップ構造Ｓ３では、クリップ３０の切欠き３３により、クリップ３０が持ち上がる際に当該クリップ３０の開口３２の内側面の一部と突出部１６の外側面１６ａの一部とにより画定される当該クリップ３０の回動支点Ｐ１が、当該切欠き３３により、突出部１６の天面１６ｂよりも低い位置に形成され、外れ難くなっている。
【００２８】
また、上記実施形態では、クリップ３０の縁部の一端（先端）側に切欠き３３を設けていたが、図５（ｂ）に示すように、クリップ３０の縁部の両端にそれぞれの切欠き３３，３８を設けるようにしてもよい。このクリップ構造Ｓ４では、上述したクリップ機能に加え、クリップの他端（後端）に何かが当たってしまい、後端側でクリップが回動する場合でも、上述したのと同様の作用効果を奏して、キャップが外れてしまうことを抑制することも可能である。なお、図５（ｂ）に示す例において、先端側の切欠き３３を設けずに、後端側の切欠き３８のみを設ける構成としてもよい。
【００２９】
また、上記実施形態では、クリップ３０の開口３２に嵌合される突出部１２が筆記具本体に相当する軸筒１０に設けられた例を説明したが、かかる突出部１２を筆記具本体に相当するキャップ等に設けて、筆記具のキャップに上述したクリップ構造Ｓ１を形成するようにしてもよく、その他の筆記具部分に同様の構成を設けるようにしてもよい。
【００３０】
ここで、上記実施形態の変形例について、図６〜図９を参照して説明する。変形例に係る筆記具１Ａは、図６に示すように、基本的な構成は上述した筆記具１と同様であり、軸筒１０と中芯ユニット２０とクリップ３０とを有し、クリップ３０に段差部３３が設けられ、クリップ３０の回動による突出部１７からの外れが防止されるようになっている。筆記具１Ａは、これに加え、クリップ３０の軸筒１０から垂直方向又は斜め方向Ｓ（図９参照）への持ち上げによるクリップ３０の外れの防止機能を更に備えている点で筆記具１と相違している。以下、相違点を主に説明する。
【００３１】
筆記具１Ａでは、図７及び図８に示すように、軸筒１０の突出部１７の外側面１７ａに凸部１７ｅ（規制部）を更に設ける構成になっており、凸部１７ｅにより、軸筒１０の外表面からの垂直方向又は斜め方向へのクリップ３０の持ち上げを規制する。凸部１７ｅは、例えば、突出部１７の外側面１７ａから断面円弧状又は半球状に突出している。また、凸部１７ｅは、突出部１７の短手方向に沿って延びており、外側面１７ａの短手方向の中央に設けられている。凸部１７ｅの短手方向の幅は、突出部１７の側壁１７Ａの幅に対して例えばその半分からその全幅の間の幅とすることができる。
【００３２】
また、凸部１７ｅは、図９に示すように、クリップ３０との関係では、回動支点Ｐ１よりも突出部１７の天面１７ｂ側であって段差部３３に対応する領域に設けられており、外側面１７ａから段差部３３に向けて突出している。このため、凸部１７ｅは、クリップ３０を斜め方向Ｓ（又は垂直方向）に持ち上げる際に、軸筒１０から離れる方向において段差部３３の下端に引っ掛かる。これにより、凸部１７ｅは、突出部１７に対するクリップ３０の軸筒１０から離れる方向への相対移動を規制する。凸部１７ｅの外側面１７ａからの突出量は、例えば０．１ｍｍより大きく０．４ｍｍ以下の範囲内であってもよく、より好ましくは、０．２ｍｍ以上０．３ｍｍ以下の範囲内である。なお、凸部１７ｅは、回動支点Ｐ１に隣接して設けてられてもよい。
【００３３】
このような構成を有する筆記具１Ａによれば、クリップ３０を持ち上げる際に、突出部１７に対するクリップ３０の軸筒１０から離れる方向への相対移動が規制されるので、クリップ３０が突出部１７から外れてしまうことをより確実に防止することができる。また、凸部１７ｅの突出量を０．３ｍｍ以下とすることにより、筆記具１Ａの組立工程において、クリップ３０の軸筒１０側への押圧によって、クリップ３０を突出部１７に簡単に取り付けることができる。
【００３４】
なお、筆記具１Ａでは、図８に示すように、突出部１７のリブ１７ｄは、突出部１７の側壁１７Ａ及び１７Ｂからそれぞれ離間する部分１７ｆ及び１７ｇを有するように構成されてもよい。この場合、側壁１７Ａ及び１７Ｂとリブ１７ｄとの間に離間する領域が設けられることから、突出部１７を含む軸筒１０を成型によって形成する際、リブ１７ｄにおけるヒケの発生を抑制することができ、これにより、リブ１７ｄの中央部分の寸法管理が容易になる。また、筆記具１Ａでは、図８に示すように、筆記具１と異なり、突出部１７の中間部１７Ｃの幅を側壁１７Ａ及び１７Ｂの幅に対して小さくなるように構成してもよく、例えば、中間部１７Ｃの幅を側壁１７Ａ及び１７Ｂの厚さと同程度としてもよい。これにより、中間部１７Ｃにおけるヒケの発生を抑制することができ、中間部１７Ｃの寸法管理を容易にすることができる。
【符号の説明】
【００３５】
１，１Ａ…筆記具、１０…軸筒（筆記具本体）、１２，１６，１７…突出部、１２ａ，１６ａ，１７ａ…外側面、１２ｂ，１６ｂ，１７ｂ…天面、１４…先端開口、１７ｄ…リブ、１７ｅ…凸部、２０…中芯ユニット、２２…ノック部、３０…クリップ、３０ａ…表面、３０ｂ…裏面、３１…クリップ本体、３２…開口、３２ａ…内側面、３３…段差部（切欠き）、３４…窪み、３５…突起、３６…部分、Ｄ…段差部の深さ、Ｐ１，Ｐ２…回動支点、Ｓ１，Ｓ２，Ｓ３，Ｓ４…クリップ構造、Ｔ…突出部の高さ。
【図１】
2019010859.tif 000003
【図２】
2019010859.tif 000004
【図３】
2019010859.tif 000005
【図４】
2019010859.tif 000006
【図５】
2019010859.tif 000007
【図６】
2019010859.tif 000008
【図７】
2019010859.tif 000009
【図８】
2019010859.tif 000010
【図９】
2019010859.tif 000011